【手続補正書】
【提出日】平成23年3月15日(2011.3.15)
【手続補正１】
【補正対象書類名】特許請求の範囲
【補正対象項目名】全文
【補正方法】変更
【補正の内容】
【特許請求の範囲】
【請求項１】
（ａ）読取部と、
（ｂ）該読取部によって原稿の画像を読み取る読取処理手段と、
（ｃ）操作者が、識別用の端末情報があらかじめそれぞれ設定された複数の端末装置のうちの所定の端末装置の端末情報を入力するための操作部と、
（ｄ）操作者が、前記操作部を操作することによって前記端末情報を入力した後に、前記端末装置に情報取得要求を送信し、所定の情報を要求する情報要求処理手段と、
（ｅ）前記各端末装置から送信された情報取得要求に対する回答情報に基づいて、前記所定の端末装置を特定する端末装置判定処理手段と、
（ｆ）前記読取処理手段によって読み取られた原稿の画像の画像情報を、特定された端末装置に送信する画像情報送信処理手段とを有することを特徴とする画像形成装置。
【請求項２】
（ａ）前記情報要求処理手段は、前記情報取得要求と共に、入力された端末情報を送信し、
（ｂ）前記端末装置判定処理手段は、前記入力された端末情報及び前記各回答情報に基づいて、前記所定の端末装置を特定する請求項１に記載の画像形成装置。
【請求項３】
（ａ）前記情報要求処理手段は、前記情報取得要求において各端末装置の端末情報を要求し、
（ｂ）前記端末装置判定処理手段は、前記入力された端末情報及び前記各回答情報に基づいて、前記所定の端末装置を特定する請求項１に記載の画像形成装置。
【請求項４】
（ａ）前記操作部において、前記各端末装置のうちの所定の端末装置の端末情報が入力され、かつ、前記読取部によって取得される読取データを画像データに変換するための画像形式が指定され、
（ｂ）前記情報要求処理手段は、前記情報取得要求と共に、入力された端末情報及び指定された画像形式を送信し、
（ｃ）前記端末装置判定処理手段は、前記入力された端末情報及び前記各回答情報に基づいて、前記所定の端末装置を特定する請求項１に記載の画像形成装置。
【請求項５】
（ａ）前記操作部において、前記各端末装置のうちの所定の端末装置の端末情報が入力され、かつ、前記読取部によって取得される読取データを画像データに変換するための画像形式が指定され、
（ｂ）前記情報要求処理手段は、前記情報取得要求において、各端末装置の端末情報及び画像変換が可能な画像形式を要求し、
（ｃ）前記端末装置判定処理手段は、前記入力された端末情報及び前記各回答情報に基づいて、前記所定の端末装置を特定する請求項１に記載の画像形成装置。
【請求項６】
前記情報要求処理手段による情報取得要求が送信されるタイミングで、前記読取処理手段による原稿の画像の読取りが開始される請求項１〜５のいずれか１項に記載の画像形成装置。
【請求項７】
画像形成装置と、識別用の端末情報があらかじめそれぞれ設定された複数の端末装置とがネットワークによって接続されたネットワークシステムにおいて、
（ａ）前記画像形成装置に配設された読取部と、
（ｂ）該読取部によって原稿の画像を読み取る読取処理手段と、
（ｃ）前記画像形成装置に配設され、操作者が前記各端末装置のうちの所定の端末装置の端末情報を入力するための操作部と、
（ｄ）操作者が、前記操作部を操作することによって前記端末情報を入力した後に、前記端末装置に情報取得要求を送信し、所定の情報を要求する情報要求処理手段と、
（ｅ）前記各端末装置から送信された情報取得要求に対する回答情報に基づいて、前記所定の端末装置を特定する端末装置判定処理手段と、
（ｆ）前記読取処理手段によって読み取られた原稿の画像の画像情報を、特定された端末装置に送信する画像情報送信処理手段とを有することを特徴とするネットワークシステム。
【請求項８】
（ａ）前記情報要求処理手段は、前記情報取得要求と共に、入力された端末情報を送信し、
（ｂ）前記各端末装置は、画像形成装置から送信された端末情報と、あらかじめそれぞれ設定された端末情報とが一致するかどうかを判断する端末情報一致判定処理手段、及び該端末情報一致判定処理手段の判断結果を前記回答情報として画像形成装置に送信する回答情報送信処理手段を備え、
（ｃ）前記端末装置判定処理手段は、前記端末情報一致判定処理手段による判断結果に基づいて、端末情報が一致する端末装置を、前記所定の端末装置として特定する請求項７に記載のネットワークシステム。
【請求項９】
（ａ）前記情報要求処理手段は、前記情報取得要求において各端末装置の端末情報を要求し、
（ｂ）前記各端末装置は、あらかじめそれぞれ設定された端末情報を前記回答情報として画像形成装置に送信する回答情報送信処理手段を備え、
（ｃ）前記端末装置判定処理手段は、前記入力された端末情報と、各端末装置から送信された端末情報とが一致するかどうかを判断し、端末情報が一致する端末装置を、前記所定の端末装置として特定する請求項７に記載のネットワークシステム。
【請求項１０】
（ａ）前記操作部において、前記各端末装置のうちの所定の端末装置の端末情報が入力され、かつ、前記読取部によって取得される読取データを画像データに変換するための画像形式が指定され、
（ｂ）前記情報要求処理手段は、前記情報取得要求と共に、入力された端末情報及び指定された画像形式を送信し、
（ｃ）前記各端末装置は、画像形成装置から送信された端末情報と、あらかじめそれぞれ設定された端末情報とが一致するかどうかを判断する端末情報一致判定処理手段、画像形成装置から送信された画像形式による画像変換が可能かどうかを判断する画像形式サポート判定処理手段、並びに前記端末情報一致判定処理手段及び画像形式サポート判定処理手段の判断結果を前記回答情報として画像形成装置に送信する回答情報送信処理手段を備え、
（ｄ）前記端末装置判定処理手段は、前記端末情報一致判定処理手段によって端末情報が一致すると判断され、かつ、前記画像形式サポート判定処理手段によって指定された画像形式による画像変換が可能であると判断された端末装置を、前記所定の端末装置として特定する請求項７に記載のネットワークシステム。
【請求項１１】
（ａ）前記操作部において、前記各端末装置のうちの所定の端末装置の端末情報が入力され、かつ、前記読取部によって取得される読取データを画像データに変換するための画像形式が指定され、
（ｂ）前記情報要求処理手段は、前記情報取得要求において、各端末装置の端末情報、及び画像変換が可能な画像形式を要求し、
（ｃ）前記端末装置判定処理手段は、前記入力された端末情報と、各端末装置から送信された端末情報とが一致するかどうか、及び前記指定された画像形式と、各端末装置から送信された画像形式とが一致するかどうかを判断し、端末情報が一致し、かつ、画像形式が一致する端末装置を、前記所定の端末装置として特定する請求項７に記載のネットワークシステム。
【請求項１２】
前記情報要求処理手段による情報取得要求が送信されるタイミングで、前記読取処理手段による原稿の画像の読取りが開始される請求項７〜１１のいずれか１項に記載のネットワークシステム。
【手続補正２】
【補正対象書類名】明細書
【補正対象項目名】０００７
【補正方法】変更
【補正の内容】
【０００７】
そのために、本発明の画像形成装置においては、読取部と、該読取部によって原稿の画像を読み取る読取処理手段と、操作者が、識別用の端末情報があらかじめそれぞれ設定された複数の端末装置のうちの所定の端末装置の端末情報を入力するための操作部と、操作者が、前記操作部を操作することによって前記端末情報を入力した後に、前記端末装置に情報取得要求を送信し、所定の情報を要求する情報要求処理手段と、前記各端末装置から送信された情報取得要求に対する回答情報に基づいて、前記所定の端末装置を特定する端末装置判定処理手段と、前記読取処理手段によって読み取られた原稿の画像の画像情報を、特定された端末装置に送信する画像情報送信処理手段とを有する。
【手続補正３】
【補正対象書類名】明細書
【補正対象項目名】０００８
【補正方法】変更
【補正の内容】
【０００８】
本発明によれば、画像形成装置においては、読取部と、該読取部によって原稿の画像を読み取る読取処理手段と、操作者が、識別用の端末情報があらかじめそれぞれ設定された複数の端末装置のうちの所定の端末装置の端末情報を入力するための操作部と、操作者が、前記操作部を操作することによって前記端末情報を入力した後に、前記端末装置に情報取得要求を送信し、所定の情報を要求する情報要求処理手段と、前記各端末装置から送信された情報取得要求に対する回答情報に基づいて、前記所定の端末装置を特定する端末装置判定処理手段と、前記読取処理手段によって読み取られた原稿の画像の画像情報を、特定された端末装置に送信する画像情報送信処理手段とを有する。
【手続補正４】
【補正対象書類名】明細書
【補正対象項目名】０００９
【補正方法】変更
【補正の内容】
【０００９】
この場合、各端末装置に所定の情報が要求され、各端末装置からの回答情報に基づいて、操作者が操作部を操作することによって入力された所定の端末装置が特定され、画像情報が前記特定された端末装置に送信されるので、端末情報が登録されていない端末装置に画像情報を送信することができる。